(57)【要約】【課題】  複数のサイトからなる伝送システムにおいて，各サイトで変更されたデータの同期を特定のサイトに負担をかけずにとること。【解決手段】  各サイト毎に該サイトに属する伝送デバイスの稼働状況を監視する伝送制御監視装置を設置し，伝送制御監視装置に，全サイトの伝送デバイスの識別子と稼働状況を関連付けて記憶する稼働状況記憶手段３２２と，稼働状況の変化に応じて稼働状況記憶手段の記憶内容を更新し，更新を同期手段３１０に通知する稼働状況更新手段３１８と，更新通知を受けて他サイトの伝送制御監視装置に更新通知を送信するとともに他サイトの伝送制御監視装置からの更新通知を受信して稼働状況更新手段に通知する同期手段とを設けた。【選択図】    図３
2005190434.tif 000002
【特許請求の範囲】
【請求項１】
通信網を介して接続された複数のサイト間でデータの送受信を行うデータ伝送システムにおける伝送制御監視システムであって：
各サイト毎に備えられ，該サイトに属する１または２以上の伝送デバイスと接続されて前記伝送デバイスの稼働状況を監視する伝送制御監視装置を含んで構成され：
前記伝送制御監視装置は，
自サイトを含めた全てのサイトに属する前記伝送デバイスの識別子および該デバイスの稼働状況を関連付けて記憶する稼働状況記憶手段と，
前記稼働状況記憶手段に基づいて前記自サイトを含めた全てのサイトに属する前記伝送デバイスの稼働状況を表示する稼働状況表示手段と，
自サイトの前記伝送デバイスからエラー情報および復旧情報を含む稼働状況を取得する稼働状況取得手段と，
前記稼働状況取得手段から取得した稼働状況に基づいて前記稼働状況記憶手段の記憶内容を更新する稼働状況更新手段と，
前記稼働状況更新手段により前記記憶内容が更新された場合に少なくとも１つの他サイトの伝送制御監視装置に更新された稼働状況を含む更新通知を送信するとともに，少なくとも１つの他サイトの伝送制御監視装置から他サイトにおいて更新された稼働状況を含む更新通知を受信する同期手段と，
前記更新通知を送信する前記少なくとも１つの他サイトの伝送制御監視装置を予め決めておくべく該他サイトの伝送制御監視装置の識別子を記憶する環境情報記憶手段と，を備え：
前記同期手段は，前記他サイトの伝送制御監視装置の前記同期手段から更新通知を受信した場合には前記受信した更新通知に含まれる前記稼働状況を前記稼働状況更新手段に提供し，前記稼働状況更新手段は前記稼働状況に基づいて前記稼働状況記憶手段の前記記憶内容を更新することを特徴とする，伝送制御監視システム。
【請求項２】
通信網を介して接続された複数のサイト間でデータの送受信を行うデータ伝送システムにおける伝送制御監視方法であって：
各サイト毎に備えられ，該サイトに属する１または２以上の伝送デバイスと接続されて前記伝送デバイスの稼働状況を監視する伝送制御監視装置を利用して実現され：
前記伝送制御監視装置が，
自サイトを含めた全てのサイトに属する前記伝送デバイスの識別子および該デバイスの稼働状況を関連付けて稼働状況記憶手段に記憶する工程と，
自サイトの前記伝送デバイスからエラー情報および復旧情報を含む稼働状況を取得する工程と，
前記稼働状況に基づいて前記稼働状況記憶手段の記憶内容を更新する工程と，
前記稼働状況記憶手段内で更新された稼働状況を含む更新通知を少なくとも１つの他サイトの伝送制御監視装置に送信する工程と，
少なくとも１つの他サイトの伝送制御監視装置から他サイトにおいて更新された稼働状況を含む更新通知を受信する工程と，
前記受信した更新通知に含まれる前記稼働状況に基づいて前記稼働状況記憶手段の前記記憶内容を更新する工程と，
を含むことを特徴とする，伝送制御監視方法。
【請求項３】
前記稼働状況記憶手段に基づいて前記自サイトを含めた全てのサイトに属する前記伝送デバイスの稼働状況を表示する工程をさらに含み，前記稼働状況記憶手段の前記記憶内容が更新された場合には該更新された稼働状況記憶手段に基づいて前記伝送デバイスの稼働状況の表示を更新することを特徴とする，請求項２に記載の伝送制御監視方法。
【請求項４】
前記更新通知に含まれる稼働状況には，前記伝送デバイスの識別子が含まれることを特徴とする，請求項２に記載の伝送制御監視方法。
【請求項５】
前記更新通知を送信する他サイトの伝送制御監視装置の識別子を環境情報記憶手段に記憶する工程を含むことを特徴とする，請求項２に記載の伝送制御監視方法。
【請求項６】
前記伝送デバイスから取得したエラー情報および復旧情報を含む稼働状況の重要度を判別する工程をさらに含むことを特徴とする，請求項２に記載の伝送制御監視方法。
【請求項７】
通信網を介して接続された複数のサイト間でデータの送受信を行うデータ伝送システムにおける伝送制御監視方法を実行するコンピュータプログラムであって：
コンピュータをして，各サイト毎に備えられ，該サイトに属する１または２以上の伝送デバイスと接続されて前記伝送デバイスの稼働状況を監視する伝送制御監視装置として機能せしめ：
自サイトを含めた全てのサイトに属する前記伝送デバイスの識別子および該デバイスの稼働状況を関連付けて稼働状況記憶手段に記憶するステップと，
自サイトの前記伝送デバイスからエラー情報および復旧情報を含む稼働状況を取得するステップと，
前記稼働状況に基づいて前記稼働状況記憶手段の記憶内容を更新するステップと，
前記稼働状況記憶手段内で更新された稼働状況を含む更新通知を少なくとも１つの他サイトの伝送制御監視装置に送信するステップと，
少なくとも１つの他サイトの伝送制御監視装置から他サイトにおいて更新された稼働状況を含む更新通知を受信するステップと，
前記受信した稼働状況に基づいて前記稼働状況記憶手段の前記記憶内容を更新するステップと，
を実行することを特徴とする，コンピュータプログラム。
【発明の詳細な説明】
【技術分野】
【０００１】
本発明は，通信網を介して接続された複数のサイト間でデータの送受信を行うデータ伝送システムにおける伝送制御監視システム，伝送制御監視方法及びコンピュータプログラムに関する。
【背景技術】
【０００２】
近年，映像データ，音楽データやその他のデジタルデータ等を複数の離れた拠点間で伝送するデータ伝送システムが開発されている。データ伝送システムにおいては，各拠点でのデータ伝送が正常に行われているかを監視する必要がある。その場合に，各拠点が，例えば映像・音楽データを他の拠点に伝送する際に必要な複数の信号切換器などの，複数の伝送デバイス等によって構成されているサイトである場合には，サイト毎に各伝送デバイスの稼働状況等の監視および制御を行うのが効率的である。しかし，自サイトの伝送デバイス等の監視・制御を行うだけでは，自サイトに関係のある他サイトの状況が分からないため，データ伝送システム全体の監視を行うことができない。そこで，各サイト毎に監視・制御を行った結果のデータ全てを一括して管理するサーバを設け，各サイトの監視・制御情報を一度サーバに格納した後に各サイトに通知する方法が提案された。
【０００３】
しかし，全てのデータを一括して管理するサーバを設ける上記方法では，データ量が多い場合などにはサーバに負担がかかり，各サイトへの通知が遅延したり，また，障害などによりサーバの機能が停止した場合には各サイトへの通知が行われなくなり，適切な監視を行うことができないという問題点があった。
【０００４】
そこで，ネットワークに接続された複数のノードが備えるデータベース間の同期をサーバを介さずにとるために，各ノードがデータベースの最新の更新時刻を示す時刻表示を記憶しておき，その時刻表示を各ノード間での同期に使用する同期方法が提案されている（例えば特許文献１参照）。上記の同期方法では，各ノードが記憶してある時刻表示を定期的に他のノードに同報通信で伝送するとともに，他のノードから伝送された時刻表示と自己が記憶しておいた時刻表示とを比較することによって，データベースの更新時刻の差異を発見し，同期を行うことができる。
【０００５】
【特許文献１】特開平８−５５０５１号公報
【発明の開示】
【発明が解決しようとする課題】
【０００６】
しかし，上記方法では，あるノードが備えるデータベースが更新されてからその更新が他のノードのデータベースに反映されるためには，更新時刻を記憶し，定期的に時刻表示を伝送し，同期が必要な場合にはその時刻表示を伝送したノードに対してデータベースを送出するように要求する必要があるため，即座にデータの更新が反映されない場合があった。また，１つのノードに対して同期が必要なノードが複数ある場合には，１つのノードが複数のノードにデータベースを送信しなくてはならないため，そのノードに負担がかかり，処理が遅くなる可能性があった。
【０００７】
そこで，本発明は，このような問題に鑑みてなされたもので，その目的とするところは，各サイトにおいて監視・制御情報などの各種データに変更があった場合に，その変更されたデータを，特定のサイトに負担をかけることなく即座に全サイトに反映して全サイトでデータの同期をとることが可能な伝送制御監視システム，伝送制御監視方法及びコンピュータプログラムを提供することにある。
【課題を解決するための手段】
【０００８】
上記課題を解決するために，本発明のある観点によれば，通信網を介して接続された複数のサイト間でデータの送受信を行うデータ伝送システムにおける伝送制御監視システムが提供される。伝送制御監視システムは，伝送制御監視装置を含んで構成される。伝送制御監視装置は，各サイト毎に備えられ，該サイトに属する１または２以上の伝送デバイスと接続されて伝送デバイスの稼働状況を監視する。
【０００９】
上記伝送制御監視装置は，自サイトを含めた全てのサイトに属する伝送デバイスの識別子および該デバイスの稼働状況を関連付けて記憶する稼働状況記憶手段と，稼働状況記憶手段に基づいて自サイトを含めた全てのサイトに属する伝送デバイスの稼働状況を表示する稼働状況表示手段と，自サイトの伝送デバイスからエラー情報および復旧情報を含む稼働状況を取得する稼働状況取得手段と，稼働状況取得手段から取得した稼働状況に基づいて稼働状況記憶手段の記憶内容を更新する稼働状況更新手段と，稼働状況更新手段により稼働状況が更新された場合に少なくとも１つの他サイトの伝送制御監視装置に更新された稼働状況を含む更新通知を送信するとともに，少なくとも１つの他サイトの伝送制御監視装置から他サイトにおいて更新された稼働状況を含む更新通知を受信する同期手段と，更新通知を送信する少なくとも１つの他サイトの伝送制御監視装置を予め決めておくべく該他サイトの伝送制御監視装置の識別子を記憶する環境情報記憶手段と，を備える。上記同期手段は，他サイトの伝送制御監視装置の同期手段から更新通知を受信した場合には更新通知とともに受信した稼働状況を稼働状況更新手段に提供し，稼働状況更新手段は稼働状況に基づいて稼働状況記憶手段の記憶内容を更新する。
【００１０】
上記発明によれば，各サイト毎に備えられた伝送制御監視装置が，自己が監視する伝送デバイスからの稼働状況を稼働状況取得手段によって取得し，自サイトを含めた全サイトの伝送デバイスと稼働状況とが関連付けて記憶されている稼働状況記憶手段に対して稼働状況更新手段によって稼働状況の更新を行う。稼働状況記憶手段の記憶内容の更新が行われた場合には同期手段は環境情報記憶手段に記憶されている他サイトの伝送制御監視装置の識別子に基づいて少なくとも１つの他サイトの伝送制御監視装置に更新された稼働状況を含む更新通知を送信する。また，同期手段は少なくとも１つの他サイトから更新通知を受信し，更新通知に含まれる他サイトにおいて更新された稼働状況を稼働状況更新手段に提供する。稼働状況更新手段は提供された稼働状況に基づいて稼働状況記憶手段の記憶内容を更新する。また，稼働状況記憶手段に基づいて自サイトを含めた全てのサイトに属する伝送デバイスの稼働状況が稼働状況表示手段に表示される。
【００１１】
上記構成より，自サイトで監視する伝送デバイスの稼働状況に変化があって稼働状況記憶手段の記憶内容が変更されたタイミングで同期手段が他サイトの伝送制御監視装置にかかる変更を通知することができる。その際には環境情報記憶手段に記憶されている少なくとも１つの他サイトの伝送制御監視装置に通知をすれば足りる。また，他サイトにおいて変更された稼働状況を他サイトの伝送制御監視装置から受信して稼働状況記憶手段の記憶内容を変更することができる。さらに，稼働状況記憶手段の記憶内容が変更されたタイミングで伝送デバイスの稼働状況の表示を変更することができる。
【００１２】
従って，各サイトにおいて監視・制御情報などの各種データに変更があった場合に，その変更されたデータを，特定のサイトに負担をかけることなく即座に全サイトに反映して全サイトでデータの同期をとることができる。
【００１３】
上記課題を解決するために，本発明の別の観点によれば，通信網を介して接続された複数のサイト間でデータの送受信を行うデータ伝送システムにおける伝送制御監視方法が提供される。かかる伝送制御監視方法は，各サイト毎に備えられ，該サイトに属する１または２以上の伝送デバイスと接続されて伝送デバイスの稼働状況を監視する伝送制御監視装置を利用して実現される。すなわち，伝送制御監視装置が，自サイトを含めた全てのサイトに属する伝送デバイスの識別子および該デバイスの稼働状況を関連付けて稼働状況記憶手段に記憶する工程と，自サイトの伝送デバイスからエラー情報および復旧情報を含む稼働状況を取得する工程と，稼働状況に基づいて稼働状況記憶手段の記憶内容を更新する工程と，稼働状況記憶手段内で更新された稼働状況を含む更新通知を少なくとも１つの他サイトの伝送制御監視装置に送信する工程と，少なくとも１つの他サイトの伝送制御監視装置から他サイトにおいて更新された稼働状況を含む更新通知を受信する工程と，受信した稼働状況に基づいて稼働状況記憶手段の記憶内容を更新する工程と，を含む。
【００１４】
上記構成よれば，自サイトで監視する伝送デバイスの稼働状況に変化があって稼働状況記憶手段の記憶内容が変更されたタイミングで他サイトの伝送制御監視装置にかかる変更を通知することができる。また，他サイトにおいて変更された稼働状況を他サイトの伝送制御監視装置から受信して稼働状況記憶手段の記憶内容を変更することができる。
【００１５】
従って，各サイトにおいて監視・制御情報などの各種データに変更があった場合に，その変更されたデータを，特定のサイトに負担をかけることなく即座に全サイトに反映して全サイトでデータの同期をとることができる。
【００１６】
上記伝送制御監視方法は，稼働状況記憶手段に基づいて自サイトを含めた全てのサイトに属する伝送デバイスの稼働状況を表示する工程をさらに含み，稼働状況記憶手段の記憶内容が更新された場合には該更新された稼働状況記憶手段に基づいて伝送デバイスの稼働状況の表示を更新するようにしてもよい。かかる構成により，自サイトまたは他サイトにおける伝送デバイスの稼働状況の変化に起因して稼働状況記憶手段の記憶内容が変更されたタイミングで伝送デバイスの稼働状況の表示を変更することができる。従って，自サイトおよび他サイトの最新の状態をユーザに見せることができる。
【００１７】
上記更新通知に含まれる稼働状況には，伝送デバイスの識別子が含まれていてもよい。かかる構成により，更新通知を受信した伝送制御監視装置は，伝送デバイスの識別子によって稼働状況記憶手段内で稼働状況を更新するべき伝送デバイスを容易に特定することができる。
【００１８】
上記更新通知を送信する他サイトの伝送制御監視装置の識別子を環境情報記憶手段に記憶する工程を含んでもよい。かかる構成により，伝送制御監視装置は，更新通知を送信するべき他サイトの伝送制御監視装置を，環境情報記憶手段を参照して記憶されている識別子により容易に特定することができる。
【００１９】
上記伝送デバイスから取得したエラー情報および復旧情報を含む稼働状況の重要度を判別する工程をさらに含んでもよい。かかる構成により，伝送デバイスの稼働状況の表示に反映させる必要のない軽微なエラー等を同期対象からはずすことができ，通信データ量を減らせるとともに，重大なエラー等の場合には全サイトの全伝送制御監視装置で例えば警告音を発生させたり，エラー部分の表示を大幅に変化させるなどの処理を行わせることができる。
【００２０】
上記課題を解決するために，本発明の別の観点によれば，通信網を介して接続された複数のサイト間でデータの送受信を行うデータ伝送システムにおける伝送制御監視方法を実行するコンピュータプログラムが提供される。かかるコンピュータプログラムは，コンピュータをして，各サイト毎に備えられ，該サイトに属する１または２以上の伝送デバイスと接続されて伝送デバイスの稼働状況を監視する伝送制御監視装置として機能せしめ，自サイトを含めた全てのサイトに属する伝送デバイスの識別子および該デバイスの稼働状況を関連付けて稼働状況記憶手段に記憶するステップと，自サイトの伝送デバイスからエラー情報および復旧情報を含む稼働状況を取得するステップと，稼働状況に基づいて稼働状況記憶手段の記憶内容を更新するステップと，稼働状況記憶手段内で更新された稼働状況を含む更新通知を少なくとも１つの他サイトの伝送制御監視装置に送信するステップと，少なくとも１つの他サイトの伝送制御監視装置から他サイトにおいて更新された稼働状況を含む更新通知を受信するステップと，受信した稼働状況に基づいて稼働状況記憶手段の記憶内容を更新するステップと，を実行する。
【００２１】
上記構成よれば，コンピュータに，自サイトで監視する伝送デバイスの稼働状況に変化があって稼働状況記憶手段の記憶内容が変更されたタイミングで他サイトの伝送制御監視装置にかかる変更を通知させることができる。また，コンピュータに，他サイトにおいて変更された稼働状況を他サイトの伝送制御監視装置から受信させ，稼働状況記憶手段の記憶内容を変更させることができる。
【００２２】
従って，各サイトにおいて監視・制御情報などの各種データに変更があった場合に，その変更されたデータを，特定のサイトに負担をかけることなく即座に全サイトに反映して全サイトでデータの同期をとることができる。
【発明の効果】
【００２３】
以上説明したように本発明によれば，各サイトにおいて監視・制御情報などの各種データに変更があった場合に，その変更されたデータを，特定のサイトに負担をかけることなく即座に全サイトに反映して全サイトでデータの同期をとることができる。
【発明を実施するための最良の形態】
【００２４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２５】
以下では，本発明にかかる伝送制御監視システムを，データの一例として映像・音声信号を複数のサイト間で送受信するデータ伝送システム１００において各サイトに属する伝送デバイス等の制御・監視を行う伝送制御監視システム１０１に適用して説明する。
【００２６】
まず，図１に基づいて，本実施形態にかかる伝送システム１００と伝送制御監視システム１０１の全体構成について説明する。
【００２７】
図１に示すように，伝送システム１００は，例えばサイトＡ，サイトＢおよびサイトＣなどとを含んで構成される。ここでサイトとは，ＬＡＮ（Ｌｏｃａｌ  Ａｒｅａ  Ｎｅｔｗｏｒｋ）等によって接続されているコンピュータの集合のことを示し，本実施形態にかかる伝送システム１００では，ＬＡＮによって接続された，映像・音声信号を加工するために必要な伝送デバイス等のコンピュータの集合を示す。サイトＡ，サイトＢおよびサイトＣには，必要に応じて任意の伝送デバイスを設置可能である。
【００２８】
参考として，伝送システム１００における映像・音声信号の流れを説明する。まず，例えばサイトＡが備えるアンテナ等によって人工衛星などから受信された高画質ハイビジョン放送（ＨＤＴＶ−１，ＨＤＴＶ−２）の映像・音声信号や，標準画質放送（ＳＤＴＶ−１，ＳＤＴＶ−２）の映像・音声信号は信号切換器ａ１０２によってベースバンド信号にされ，エンコーダ１０４および１０６等によってＭＰＥＧ（Ｍｏｖｉｎｇ  Ｐｉｃｔｕｒｅ  Ｅｘｐｅｒｔｓ  Ｇｒｏｕｐ）形式に変換される。その後，信号切換装置ｂ１０８によってＭＰＥＧ−ＴＳ（Ｔｒａｎｓｐｏｒｔ  Ｓｔｒｅａｍ）信号にされ，マルチプレクサ１１０によって多重化されて信号切り替え装置１１２に入力され，ＮＩＵ１１４（Ｎｅｔｗｏｒｋ  Ｉｎｔｅｒｆａｃｅ  Ｕｎｉｔ）に入力される。ＮＩＵ１１４に入力されたＭＰＥＧ−ＴＳ信号はＡＴＭ回線を介してＡＴＭ方式でサイトＢを介してサイトＣに伝送される。
【００２９】
サイトＣでは，例えば，ＡＴＭ方式で伝送された映像・音声信号はまずＮＩＵ１２２に入力されてＭＰＥＧ−ＴＳ信号にされ，信号切り替え装置ｄ１２４を経由してデマルチプレクサ１２６に入力されて多重化されていた信号が複数のＭＰＥＧ−ＴＳ信号に戻される。その後，信号切換装置ｅ１２８によってＭＰＥＧ形式にされ，デコーダ１３０，１３２によってベースバンド信号に戻され，信号切替装置ｆ１３４を経由して高画質ハイビジョン放送，標準画質放送の映像・音声信号として出力される。
【００３０】
本実施形態にかかる伝送制御監視システム１０１は，上述した伝送システム１００における各信号切換装置やエンコーダ，デコーダ等の各伝送デバイスの稼働状況を監視するとともに，各伝送デバイスの動作を制御する機能を有する。
【００３１】
伝送制御監視システム１０１は，例えば，図１に示すように，各サイト毎に設置された伝送制御監視装置１１６，１１８および１２０などとを含んで構成される。伝送制御監視装置１１６，１１８，および１２０は，例えば，ＣＰＵ，メモリ，ストレージ，入力装置，出力装置，通信装置などを備える情報処理装置である。伝送制御監視装置１１６，１１８または１２０は，それぞれ，サイトＡ，サイトＢまたはサイトＣの各伝送デバイスと接続され，各伝送デバイスの稼働状況を監視する。伝送制御監視装置１１６，１１８および１２０は通信網により接続されている。図２を参照して，伝送制御監視システム１０１における伝送制御監視装置の接続例について説明する。
【００３２】
図２においては，各サイト毎に２台の伝送制御監視装置が設置されている。このように，サイト内に複数台の伝送制御監視装置を設けて各伝送制御監視装置に監視・制御するべき伝送デバイスを振り分けることによって，監視・制御の効率を上げることもできる。なお，図１で示したようにサイト内に１台の伝送制御監視装置のみを設置しても構わない。
【００３３】
サイトＡ，サイトＢおよびサイトＣには，それぞれルータ２０２と，ハブ２０４が設けられ，各サイト間は，ルータ２０２を介して接続されている。伝送制御監視システム１０１では，各伝送制御監視装置は，予め決められた他の伝送制御監視装置に，後述する更新通知を送信する。図２においては，例えば，サイトＡの伝送制御監視装置１１５が監視・制御する伝送デバイスが障害になった場合などで，更新通知を他の伝送制御監視装置に送信しなくてはならない場合には，まず伝送制御監視装置１１５は同じサイトＡの伝送制御監視装置１１６に更新通知を送信する。伝送制御監視装置１１６はサイトＢの伝送制御監視装置１１８に更新通知を送信し，伝送制御監視装置１１８は同じサイトＢの伝送制御監視装置１１７に送信する。伝送制御監視装置１１７はサイトＣの伝送制御監視装置１２０に更新通知を送信し，伝送制御監視装置１２０は同じサイトＣの伝送制御監視装置１１９に送信する。
【００３４】
また，例えばサイトＢの伝送制御監視装置１１７が監視・制御する伝送デバイスがエラーになった場合などで，更新通知を他の伝送制御監視装置に送信しなくてはならない場合には，まず伝送制御監視装置１１７は同じサイトＢの伝送制御監視装置１１８およびサイトＣの伝送制御監視装置１２０に送信する。伝送制御監視装置１２０は伝送制御監視装置１１９に送信し，一方で伝送制御監視装置１１８はサイトＡの伝送制御監視装置１１６に送信し，伝送制御監視装置１１６は伝送制御監視装置１１５に送信する。上記のように更新通知を送信することによって，ひとつの伝送制御監視装置が他の全ての伝送制御監視装置に更新通知を送信する場合に比べてひとつの伝送制御監視装置にかかる負担を軽くすることができる。更新通知を送信する相手の伝送制御監視装置を予め決めておく方法については後述する。
【００３５】
以上，本実施形態にかかる伝送システム１００と伝送制御監視システム１０１の全体構成について説明した。次に，図３に基づいて，本実施形態にかかる伝送制御監視装置の構成について説明する。
【００３６】
伝送制御監視装置１１５，１１６，１１７，１１８，１１９および１２０はほぼ同様の構成であるため，代表してサイトＡの伝送制御監視装置１１６について説明する。伝送制御監視装置１１６は，図３に示すように，例えば，稼働状況表示手段３０２，表示状況更新手段３０４，表示仮想デバイス３０６，表示同期手段３０８，同期手段３１０，仮想デバイス３１２，デバイスアダプタ３１４，稼働状況取得手段３１６，稼働状況更新手段３１８，稼働状況記憶手段３２２および環境情報記憶手段３２０などとを含んで構成される。
【００３７】
まず，各伝送デバイスがエラーになったり，その後復旧するなどして稼働状況が変化した場合における伝送制御監視装置１１６の処理の流れに沿って，伝送制御監視装置１１６の構成および機能を説明する。 
【００３８】
デバイスアダプタ３１４は，サイトＡの信号切換装置ａ，ｂ，ｃまたはエンコーダ１０４，１０６等の各伝送デバイスと接続され，各伝送デバイスからのエラー情報，復旧情報等を含む稼働状況を取得して仮想デバイス３１２に提供する。仮想デバイス３１２はデバイスアダプタから取得した稼働状況を稼働状況取得手段３１６に提供する。
【００３９】
稼働状況取得手段３１６は，サイトＡの伝送デバイスからエラー情報および復旧情報を含む稼働状況を取得する機能を有する。具体的には，上記デバイスアダプタ３１４および仮想デバイス３１２を介して各伝送デバイスの稼働状況を取得する。稼働状況取得手段３１６は，取得した稼働状況を稼働状況更新手段３１８に提供する。
【００４０】
また，稼働状況取得手段３１６は，稼働状況の重要度を判別し，取得した稼働状況を稼働状況更新手段３１８に提供するか否かを重要度に応じて選択してもよい。具体的には例えば，伝送デバイスから取得されるエラーについて予め重要度に応じてランク付け等をしておく。そのランクに応じて，伝送デバイスの稼働状況の表示に反映させる必要のない軽微なエラー等である場合には稼働状況更新手段３１８に提供せず，一方で重大なエラー等である場合には，例えばフラグをたてたり，ランクの情報を付加するなどして他の稼働状況と区別して稼働状況更新手段３１８に提供することもできる。重要度に応じて処理を変えることによって，軽微なエラー等を同期対象からはずして通信データ量を減らせるとともに，重大なエラー等の場合には更新通知に重要度を含めるなどして全サイトの全伝送制御監視装置に通知し，各全伝送制御監視装置で例えば警告音を発生させたり，エラー部分の表示を大幅に変化させるなどの処理を行わせることができる。
【００４１】
稼働状況更新手段３１８は，稼働状況取得手段３１６から取得した稼働状況に基づいて稼働状況記憶手段３２２の記憶内容を更新する機能を有する。
【００４２】
稼働状況記憶手段３２２は，自サイトを含めた全てのサイトに属する伝送デバイスの識別子およびその伝送デバイスの稼働状況を関連付けて記憶する機能を有する。各伝送デバイスの識別子としては，例えば伝送システム１００内で一意に識別可能なＩＤや，伝送デバイスのＩＰアドレス等を例示することができる。また，稼働状況は各伝送デバイスの稼働状況を示すデータであり，例えば，稼働中／エラー中／停止中等の稼働の状況のほか，エラーコードやエラーメッセージ等をともに記憶してもよい。
【００４３】
稼働状況記憶手段３２２はその他にも，例えば各伝送デバイスの動作を変更させるパラメータや，伝送デバイス間の接続状態などを記憶してもよい。パラメータや接続状態等を記憶しておくことにより，パラメータ，接続状態等を変更して伝送経路等を変える場合などに，ひとつの伝送制御監視装置においてパラメータ，接続状態を変更するべく稼働状況記憶手段３２２に記憶されている各データを更新すれば，後述する同期手段３１０が更新された各データを含む更新通知を他サイトの伝送制御装置に送信することによって全サイトのパラメータ，接続状態を更新させ，同期させることができ，伝送経路の変更を全サイトに反映させることができる。なお，稼働状況記憶手段３２２は，伝送制御監視装置１１６が備えるメモリやストレージ等に格納可能である。
【００４４】
同期手段３１０は，稼働状況更新手段３１８が稼働状況記憶手段３２２に記憶されている稼働状況やその他のパラメータ，接続状態などの記憶内容を更新した場合に，少なくとも１つの他サイトの伝送制御監視装置に，更新された稼働状況や各データを含む更新通知を送信する機能を有する。また，少なくとも１つの他サイトの伝送制御監視装置から，他サイトにおいて更新された稼働状況等を含む更新通知を受信する機能を有する。具体的には例えば，稼働状況更新手段３１８によって稼働状況記憶手段３２２の記憶内容が更新された場合には，更新された稼働状況を表示に反映させるために表示同期手段に稼働状況を送信するとともに，他サイト，図３においてはサイトＢの伝送制御監視装置の同期手段に，更新された稼働状況を含む更新通知を送信する。なお，更新通知には，具体的には例えば，稼働状況記憶手段３２２内で更新された伝送デバイスの稼働状況およびその伝送デバイスの識別子などが更新内容として含まれる。その他にも，更新された稼働状況の重要度など，全サイトの伝送制御監視装置間で同期させたい情報を任意に含めることができる。
【００４５】
一方で同期手段３１０は，他サイト，図３においてはサイトＢの伝送制御監視装置の同期手段から，サイトＢを含めた他サイトにおいて更新された稼働状況を含む更新通知を受けた場合には，受信した稼働状況を稼働状況更新手段３１８に提供する。稼働状況更新手段３１８では，取得した他サイトの稼働状況に基づいて稼働状況記憶手段３２２の記憶内容を更新する。稼働状況更新手段３１８が稼働状況記憶手段３２２の記憶内容を更新すると，前述の通り，同期手段３１０は更新された稼働状況を表示に反映させるために表示同期手段３０８に稼働状況を送信するとともに，必要に応じてサイトＢ以外の他サイトの伝送制御監視装置の同期手段に，更新された稼働状況を含む更新通知を送信する。
【００４６】
すなわち，稼働状況更新手段３１８が稼働状況記憶手段３２２内の稼働状況等の記憶内容を更新した場合には必ず同期手段３１０が更新された稼働状況等を表示同期手段３０８に提供するとともに更新通知を送信するべき他サイトの伝送制御監視装置がある場合には送信する。また，他サイトの伝送制御装置の同期手段から更新通知を受信した場合には稼働状況更新手段３１８に受信した更新通知に含まれる稼働状況等を提供する。
【００４７】
表示同期手段３０８は，同期手段３１０から更新された稼働状況を取得し，表示状況更新手段３０４に提供する。表示状況更新手段３０４は，更新された稼働状況を稼働状況表示手段に提供して，表示に稼働状況の変化を反映させる。
【００４８】
稼働状況表示手段３０２は，自サイトを含めた全てのサイトに属する伝送デバイスの稼働状況を表示する機能を有する。具体的には例えば，情報処理装置である伝送制御監視装置１１６が備える出力装置の一例であるＣＲＴディスプレイ装置，液晶ディスプレイ（ＬＣＤ）装置等の表示装置に，後述するようなレイアウト等で伝送デバイスの稼働状況を表示させる。
【００４９】
上記構成により，サイトＡまたは他サイトにおいて各伝送デバイスの稼働状況が変化した場合に，表示装置等に稼働状況の変化を反映させ，ユーザに全サイトの最新状況を即座に知らせることができる。
【００５０】
次に，伝送制御監視装置１１６に設置可能なマウス，キーボード等の入力手段（図示せず）をユーザが利用して，表示装置等に表示されている伝送デバイスの稼働状況に変更を加えた場合における伝送制御監視装置１１６の処理の流れに沿って，伝送制御監視装置１１６の構成および機能を説明する。
【００５１】
まず，ユーザが，例えば，不要な信号切換装置の稼働を停止させたい等，自サイトの伝送デバイスの稼働状況を変更させたい場合などに，伝送制御監視装置１１６に設置可能なマウス，キーボード等の入力手段（図示せず）を利用して，ＣＲＴディスプレイ装置，液晶ディスプレイ（ＬＣＤ）装置等の表示装置に表示されている伝送デバイスの稼働状況に変更を加える。
【００５２】
稼働状況表示手段３０２は変更された伝送デバイスの稼働状況を取得して表示仮想デバイス３０６に提供する。表示仮想デバイス３０６は，稼働状況表示手段３０２から取得した伝送デバイスの稼働状況を表示同期手段３０８に提供する。表示同期手段３０８は，稼働状況表示手段３０２取得した稼働状況を同期手段３１０に提供する。同期手段３１０は，表示同期手段３０８から稼働状況を取得した場合には仮想デバイス３１２に提供し，稼働デバイス３１２はデバイスアダプタ３１４に提供する。デバイスアダプタ３１４は，取得した稼働状況に基づいて，例えば，ユーザが稼働を停止させたい信号切換装置等，変更対象のデバイスを制御して稼働状況を変更させる。
【００５３】
その結果，変更対象の伝送デバイスが実際に停止するなどして稼働状況に変化が発生し，デバイスアダプタ３１４は，変更対象伝送デバイスからの稼働停止を示す稼働状況を取得する。その後は，前述したように，各伝送デバイスの稼働状況が変化した場合における伝送制御監視装置１１６の処理が行われ，ユーザが行った稼働状況の変更がサイトＡの伝送制御監視装置１１６の表示に反映されるとともに，他サイトの伝送制御監視装置にも通知される。
【００５４】
ここで，同期手段３１０が更新通知を送信するべき他サイトの伝送制御監視装置は，予め決めておくことが望ましい。環境情報記憶手段３２０に送信相手の伝送制御監視装置の識別子を記憶しておけば，同期手段３１０は環境情報記憶手段３２０を参照することによって更新通知を送信するべき他サイトの伝送制御監視装置を判断することができる。伝送制御監視装置の識別子としては，例えば，伝送制御監視システム１０１内で各伝送制御監視装置を一意に識別するＩＤ，各伝送制御監視装置のＩＰアドレス，または各伝送制御監視装置のＭＡＣアドレスなどを例示することができる。なお，環境情報記憶手段３２０は，伝送制御監視装置１１６が備えるメモリやストレージ等に格納可能である。
【００５５】
なお，上記ではサイトＡの伝送制御監視装置１１６がサイトＢの伝送制御監視装置に更新通知を送信するように説明したが，サイトＡの伝送制御監視装置１１６が同じサイトＡの別の伝送制御監視装置に更新通知を送信し，その別の伝送制御監視装置がサイトＢ等の他サイトの伝送制御監視装置に更新通知を送信するように構成しても構わない。
【００５６】
以上，伝送制御監視装置の構成について説明した。次に，図４に基づいて，本実施形態にかかる伝送制御監視システム１０１において伝送制御監視装置１１６が伝送デバイスの監視を行うために必要な準備処理について説明する。
【００５７】
まず，ステップＳ１０２で，伝送制御監視装置１１６は，環境情報記憶手段３２０に各種情報を設定する（Ｓ１０２）。各種情報には，伝送制御監視装置１１６が更新通知を送信するべき他サイトまたは自サイトの他の伝送制御監視装置を識別する情報が含まれる。その他，全サイトの伝送制御監視装置に関する情報や，サイトに関する情報等，任意に設定可能である。
【００５８】
次に，ステップＳ１０４で，伝送制御監視装置１１６は，稼働状況記憶手段３２２に各伝送デバイスの初期状態を設定する（Ｓ１０４）。具体的には，自サイトを含めた全てのサイトに属する伝送デバイスの識別子およびその伝送デバイスの稼働状況を関連付けて稼働状況記憶手段３２２に記憶する。稼働状況は，初期状態として全ての伝送デバイスを正常稼働などに設定してもよい。識別子は，前述の通り伝送デバイスのＩＤやＩＰアドレス等である。その他にも，各伝送デバイスの動作を変更させるパラメータや，伝送デバイス間の接続状態などを設定してもよい。
【００５９】
その後，初期状態に設定された稼働状況記憶手段３２２に基づいて伝送制御監視装置１１６の表示装置に伝送デバイスの稼働状況を示す画面を表示する（Ｓ１０６）。続いて，環境情報記憶手段３２０を参照して，更新通知先に指定されている他の伝送制御監視装置と接続して更新通知を送信可能な状態にし（Ｓ１０８），稼働状況記憶手段３２２を参照して自サイト内で監視対象になっている伝送デバイスと接続する（Ｓ１１０）。その後，伝送制御監視装置１１６は自サイト内の伝送デバイスの監視・制御を行うとともに，自サイトまたは他サイトの他の伝送制御監視装置との間で稼働状況記憶手段３２２等に格納されるデータの同期を取り，その結果，表示装置に表示される伝送デバイスの稼働状況を自サイトまたは他サイトの他の伝送制御監視装置との間で同期させる。
【００６０】
なお，上記では，初期状態に設定された稼働状況記憶手段３２２に基づいて伝送制御監視装置１１６の表示装置に伝送デバイスの稼働状況を示す画面を表示した後に，他サイトの伝送制御監視装置や自サイトの伝送デバイスと接続するように説明したが，かかる例には限定されない。例えば，伝送制御監視装置１１６は，まず他サイトの伝送制御監視装置や自サイトの伝送デバイスと接続し，自サイトおよび他サイトの伝送デバイスの実際の稼働状況を稼働状況記憶手段３２２に反映させた後に表示装置に伝送デバイスの稼働状況を示す画面を表示してもよい。
【００６１】
以上，伝送制御監視装置１１６が伝送デバイスの監視を行うために必要な準備処理について説明した。次に，図５に基づいて，本実施形態にかかる伝送制御監視システム１０１における同期処理の流れについて説明する。
【００６２】
図５は，サイトＡの伝送制御監視装置１１６が監視・制御を行うサイトＡ内の伝送デバイスでエラーが発生した場合に，その情報に基づいてサイトＡの伝送制御監視装置１１６，サイトＢの伝送制御監視装置１１８およびサイトＣの伝送制御監視装置１２０間で伝送デバイスの稼働状況の表示を同期させる処理の流れを示している。
【００６３】
まず，ステップＳ２００で，サイトＡの伝送制御監視装置１１６が監視するサイトＡ内の伝送デバイスでエラーが発生する（Ｓ２００）。伝送制御監視装置１１６は，ステップＳ２０２で，エラーが発生した伝送デバイスから稼働状況を取得する（Ｓ２０２）。稼働状況を取得した伝送制御監視装置１１６は，取得した稼働状況に基づいて稼働状況記憶手段３２２の記憶内容を更新する（Ｓ２０４）。具体的には例えば，稼働状況記憶手段３２２内で，稼働状況を取得した伝送デバイスに対応する伝送デバイスの識別子と関連付けられている稼働状況を，それまで設定されていた正常稼働中などからエラー発生中に書き換える。稼働状況記憶手段３２２の記憶内容を更新した伝送制御監視装置１１６は，ステップ２０６で，更新された稼働状況記憶手段３２２に基づいて，表示装置に表示されている伝送デバイスの稼働状況を更新する（Ｓ２０６）。
【００６４】
その後，ステップＳ２０８で，伝送制御監視装置１１６は環境情報記憶手段３２０に設定されている更新通知の送信先に基づいてサイトＢの伝送制御監視装置１１８に更新された稼働状況を含む更新通知を送信する（Ｓ２０８）。具体的には例えば，ステップＳ２０４において稼働状況記憶手段３２２内で更新したデータ，すなわち，エラーが発生した伝送デバイスの識別子およびその稼働状況等を伝送制御監視装置１１８に送信する。
【００６５】
サイトＢの伝送制御監視装置１１８は，ステップＳ２１０でサイトＡの伝送制御監視装置１１６から，更新された稼働状況を含む更新通知を受信する（Ｓ２１０）。更新通知を受信した伝送制御監視装置１１８は，ステップＳ２１２で，自己の稼働状況記憶手段３２２の記憶内容を更新する（Ｓ２１２）。具体的には例えば，伝送制御監視装置１１８が備える稼働状況記憶手段３２２内で，受信した更新通知に含まれる稼働状況に基づいて，サイトＡ内でエラーが発生した伝送デバイスに対応する伝送デバイスの識別子に関連付けられている稼働状況を，それまで設定されていた正常稼働中などからエラー発生中に書き換える。稼働状況記憶手段３２２の記憶内容を更新した伝送制御監視装置１１８は，ステップ２１４で，更新された稼働状況記憶手段３２２に基づいて，表示装置に表示されている伝送デバイスの稼働状況を更新する（Ｓ２１４）。
【００６６】
その後，ステップＳ２１６で，伝送制御監視装置１１８は環境情報記憶手段３２０に設定されている更新通知の送信先に基づいてサイトＣの伝送制御監視装置１２０に更新された稼働状況を含む更新通知を送信する（Ｓ２１６）。
【００６７】
サイトＣの伝送制御監視装置１２０は，ステップＳ２１８でサイトＢの伝送制御監視装置１１８から，更新された稼働状況を含む更新通知を受信する（Ｓ２１８）。更新通知を受信した伝送制御監視装置１２０は，ステップＳ２２０で，自己の稼働状況記憶手段３２２の記憶内容を更新し（Ｓ２２０），更新した稼働状況記憶手段３２２に基づいて，表示装置に表示されている伝送デバイスの稼働状況を更新する（Ｓ２２２）。その後，伝送制御監視装置１２０は環境情報記憶手段３２０を参照して更新通知の送信先が設定されているかを確認し，設定されていない場合には処理を終了する。
【００６８】
以上により，サイトＡ，サイトＢおよびサイトＣの各伝送制御監視装置が備える稼働状況記憶手段３２２に記憶されているデータが同期されるとともに，各伝送制御監視装置の表示装置に表示されている伝送デバイスの稼働状況も同期される。
【００６９】
以上，伝送制御監視システム１０１における同期処理の流れについて説明した。次に，図６に基づいて，本実施形態にかかる伝送制御監視装置が備える同期手段３１０が行う同期処理の流れを説明する。
【００７０】
まず，同期手段３１０は，ステップＳ３０２で他サイトの伝送制御装置の同期手段から更新通知を受信する（Ｓ３０２）。更新通知を受信した同期手段３１０は，ステップＳ３０４で，取得した更新通知に含まれる稼働状況を稼働状況更新手段３１８に提供し（Ｓ３０４），その後稼働状況更新手段３１８によって稼働状況記憶手段３２２の記憶内容が更新される（Ｓ３０６）。
【００７１】
稼働状況記憶手段３２２の記憶内容が更新されたため，同期手段３１０は他サイトの伝送制御装置に更新通知を送信するべく，まずステップＳ３０８で，環境情報記憶手段３２０を参照するなどして更新通知を送信するべき他の伝送制御監視装置があるかを判定する（Ｓ３０８）。環境情報記憶手段３２０に更新通知を送信するべき他の伝送制御監視装置が設定されており，更新通知をその他の伝送制御監視装置に送信する必要がある場合には，ステップＳ３１０で更新通知を送信する（Ｓ３１０）。更新通知を他の伝送制御監視装置に送信する必要がない場合には，更新通知は送信せずに処理を終了する。
【００７２】
なお，同期手段３１０は，上記処理の他にも，前述の通り，伝送制御監視装置の表示装置に表示されている伝送デバイスの稼働状況の更新のために必要な処理も行う。
【００７３】
以上，伝送制御監視装置が備える同期手段３１０が行う同期処理の流れを説明した。次に，図７に基づいて，伝送制御監視装置の表示装置に表示される伝送デバイスの稼働状況のレイアウト例について説明する。
【００７４】
図７は，情報処理装置である伝送制御監視装置１１６が備える出力装置の一例であるＣＲＴディスプレイ装置，液晶ディスプレイ（ＬＣＤ）装置等の表示装置に表示される伝送デバイスの稼働状況表示の一例である。稼働状況記憶手段３２２に記憶されている，伝送デバイスの接続状態や稼働状況に基づいて，系統図画面４０２に伝送デバイスの稼働状況を表示する。例えば，正常に稼働している伝送デバイスとエラー中などの伝送デバイスとの色を変えて表示したり，エラーが発生している伝送デバイスに接続され，その伝送デバイスから映像・音声信号を受信する他の伝送デバイス等，エラーの影響を受けるものを点滅させる等分かるように表示したりすることができる。また，発生しているエラーの詳細な情報をエラー情報一覧４０４に表示させてもよい。
【００７５】
系統図画面４０２およびエラー情報一覧４０４には，伝送システム１００を構成する全てのサイトの情報を表示することが可能であるとともに，いずれかのサイトにおいて伝送デバイスの稼働状況に変更があった場合には，前述の通り全ての伝送制御監視装置間でデータの同期が行われて表示にも反映されるため，各サイトの伝送制御監視装置のユーザは，全サイトの最新の状況を自サイトの伝送制御監視装置で見ることができる。
【００７６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７７】
例えば，上記実施形態では本発明にかかる伝送制御監視システムを，データの一例として映像・音声信号を複数のサイト間で送受信するデータ伝送システム１００において各サイトに属する伝送デバイス等の制御・監視を行う伝送制御監視システム１０１に適用して説明したが，本発明はかかる例には限定されない。本発明は，複数のサイトから構成され，各サイトが監視するべき伝送デバイスを備える伝送システムにおいて各伝送デバイス等の制御・監視を行う場合であれば適用可能である。また，本発明によれば複数のコンピュータ間で，そのコンピュータが備えるデータの同期をとることが可能であるため，伝送デバイスの制御・監視情報以外のデータを同期対象としたシステムを構築することもできる。
【００７８】
また，上記実施形態における伝送制御監視装置に備わる同期手段３１０，稼働状況更新手段３１８，稼働状況取得手段３１６等は，ハードウェアとして構成されてもよいし，１または２以上のモジュールやコンポーネントからなるコンピュータプログラムであってもよい。
【産業上の利用可能性】
【００７９】
本発明は，伝送制御監視システム，伝送制御監視方法に適用可能であり，特に複数のサイトから構成され，各サイトが複数の監視するべき伝送デバイスを備える伝送システムにおける伝送制御監視システム，伝送制御監視方法に適用可能である。
【図面の簡単な説明】
【００８０】
【図１】本発明の実施形態にかかる伝送システムを示す概略構成図である。
【図２】同実施の形態にかかる伝送制御監視システムの構成を示す説明図である。
【図３】同実施の形態にかかる伝送制御監視装置の構成を示すブロック図である。
【図４】同実施の形態における伝送制御監視装置が行う準備処理を示すフローチャートである。
【図５】同実施の形態における伝送制御監視システムにおける同期処理を示すフローチャートである。
【図６】同実施の形態における同期手段が行う同期処理を示すフローチャートである。
【図７】同実施の形態における伝送制御監視装置の表示装置に表示される伝送デバイスの稼働状況のレイアウト例を示す説明図である。
【符号の説明】
【００８１】
１００      伝送システム
１０１      伝送制御監視システム
１０２      信号切換装置ａ
１０４，１０６      エンコーダ
１０８      信号切換装置ｂ
１１０      マルチプレクサ
１１２      信号切換装置ｃ
１１４，１２２      ネットワークインタフェースユニット
１１５，１１６，１１７，１１８，１１９，１２０      伝送制御監視装置
１２４      信号切換装置ｄ
１２６      デマルチプレクサ
１２８      信号切換装置ｅ
１３０，１３２      デコーダ
１３４      信号切換装置ｆ
３０２      稼働状況表示手段
３０４      表示状況更新手段
３０６      表示仮想デバイス
３０８      表示同期手段
３１０      同期手段
３１２      仮想デバイス
３１４      デバイスアダプタ
３１６      稼働状況取得手段
３１８      稼働状況更新手段
３２０      環境情報記憶手段
３２２      稼働状況記憶手段
【図１】
2005190434.tif 000003
【図２】
2005190434.tif 000004
【図３】
2005190434.tif 000005
【図４】
2005190434.tif 000006
【図５】
2005190434.tif 000007
【図６】
2005190434.tif 000008
【図７】
2005190434.tif 000009